(57)【要約】【課題】  湯たんぽによる低温火傷を回避し、かつ、暖かさを長時間持続させる。さらに、湯たんぽ自体が就寝時に足もとの障害物とならないようにする。【解決手段】  就寝時に上側のみに断熱シート９を有する湯たんぽ袋４に挿入した湯たんぽを断熱性に優れたトレー３に載せ敷布団１５の下に置き、敷布団の下から穏やかに湯たんぽが放出する熱で足等を暖める。【選択図】図１
2010253231.tif 000002
【特許請求の範囲】
【請求項１】
湯たんぽとトレーを含み、湯たんぽ底部とトレー上部のくぼみが合致する湯たんぽセット。
【請求項２】
さらに、湯たんぽを挿入できる湯たんぽ袋を含む請求項１記載の湯たんぽセット。
【請求項３】
前記湯たんぽ袋は、内袋と外袋の二重構造になっており、湯たんぽを挿入した使用状態で湯たんぽ袋の上側の内袋と外袋の間に断熱シートを挿入した請求項２記載の湯たんぽセット。
【請求項４】
前記湯たんぽ袋は、内袋と外袋の二重構造になっており、湯たんぽを挿入した使用状態で湯たんぽ袋の上側の内袋と外袋の間に穴のあいた断熱シートを挿入した請求項２記載の湯たんぽセット。
【発明の詳細な説明】
【技術分野】
【０００１】  湯たんぽ及び湯たんぽ袋に関する発明である。
【背景技術】
【０００２】  従来，湯たんぽは、敷布団の上に置いて使用するため、睡眠時に長時間、足等が湯たんぽに触れ、低温火傷を起こす危険性があった。また、敷布団の上に湯たんぽがあるので、足を自由に動かすことができず、湯たんぽ自体が快眠を妨げる障害物となっていた。
【発明の概要】
【発明が解決しようとする課題】
【０００３】  湯たんぽによる低温火傷の危険性を回避し、かつ、暖房具として、暖かさを長時間持続させる。さらに、湯たんぽ自体が就寝時に足もとの障害物とならないようにする。
【課題を解決するための手段】
【０００４】  就寝時に上側のみに断熱シート９を有する図３又は図４の湯たんぽ袋４に挿入した湯たんぽを断熱性に優れたトレー３に載せ敷布団１５の下に置き、図９のように敷布団の下から湯たんぽが放出する熱で穏やかに足等を暖める。
【発明の効果】
【０００５】  就寝するしばらく前に湯たんぽを上側のみに断熱シート９を有する図３又は図４の湯たんぽ袋４に挿入して、図８のように掛け布団１４と敷布団１５の間に置いて布団全体を暖める。このとき、敷布団に接する湯たんぽ袋の下側には、断熱シートが挿入されていないので、敷布団は十分に暖められる。掛け布団に接する湯たんぽ袋上側には、断熱シートが挿入されているので、敷布団程ではないが、掛け布団も穏やかに暖められる。【０００６】  就寝時には、湯たんぽ袋に挿入された湯たんぽを掛け布団と敷布団の間から取り出し、そのままの状態でトレー３に載せて図９のように敷布団１５の下に置くため、湯たんぽが直接または湯たんぽ袋を通して間接的に肌に触れることがなくなり、低温火傷を起こす危険性が極めて少なくなる。【０００７】  同時に、敷布団の上に障害物となるもの（湯たんぽ）がなくなるため、足もとがスッキリとし、寝心地がよくなる。【０００８】  また、図１又は図７のように湯たんぽの底部とトレー上部のくぼみが合致し、トレー底部が平らな構造になっているため、睡眠中に足を動かしても湯たんぽは、動くことなく安定し、睡眠を妨げない。【０００９】  さらに、敷布団の下に置いた湯たんぽから放出される熱１６が断熱シートの穴又は厚さを調節した断熱シートから敷布団の上に穏やかに伝わるため、低温火傷を起こすことなく長時間暖かさを確保することができる。本発明のように湯たんぽ袋の上側部分に断熱シートを挿入しなければ、敷布団の上に伝わる熱量は大きくなり、長時間その熱にさらされれば、低温火傷の危険性が高まる。【００１０】  また、湯たんぽ袋全体を断熱シートで覆ってしまえば、就寝前に掛け布団と敷布団の間に置いて布団全体を暖める際、湯たんぽから発生する熱を抑制してしまい十分な暖かさを確保できず、湯たんぽ本来の機能を発揮しないことになる。【００１１】  図９のように敷布団１５の下に湯たんぽを置く際、断熱性に優れたトレー３を湯たんぽの下に敷くことにより、断熱シートの挿入されていない湯たんぽ袋下側より畳等への無駄な熱の放出を抑えることができる。
【図面の簡単な説明】
【００１２】
【図１】    湯たんぽ及びトレーの斜視図である。
【図２】    湯たんぽ袋の斜視図である。
【図３】    湯たんぽ袋の片面の内袋と外袋の間に断熱シートを挿入した湯たんぽ袋のＣ−Ｃ′断面図である。
【図４】    湯たんぽ袋の片面の内袋と外袋の間に穴のあいた断熱シートを挿入した湯たんぽ袋のＣ−Ｃ′断面図である。
【図５】    穴のあいた断熱シートの斜視図である。
【図６】    発泡樹脂シートとアルミニウム膜からなる断熱シートの断面図である。
【図７】    湯たんぽを図３の湯たんぽ袋に挿入し、トレーに載せた状態のＡ−Ａ′、Ｂ−Ｂ′及びＣ−Ｃ′断面図である。
【図８】    湯たんぽを湯たんぽ袋に挿入し、掛け布団と敷布団の間に置いた状態で湯たんぽから発生する熱の伝わり方を示す図である。
【図９】    湯たんぽ袋に挿入した湯たんぽをトレーに載せ、敷布団の下に置いた状態で湯たんぽから発生する熱の伝わり方を示す図である。
【発明を実施するための形態】
【００１３】  就寝するしばらく前に湯たんぽを断熱効果のある例えば発泡樹脂シート１２とアルミニウム膜１３からなる断熱シート９を有する図３又は図４の湯たんぽ袋４に挿入し、図８のように掛け布団１４と敷布団１５の間に置いて布団全体を暖める。
【００１４】  就寝直前に掛け布団と敷布団の間に置いた湯たんぽ袋に挿入された湯たんぽを取り出し、そのままの状態でトレー３に載せ、敷布団の下に移動させ、足等が直接湯たんぽに触れないようにし、図９のように敷布団１５の下から湯たんぽが放出する熱で足等を暖める。
【符号の説明】
【００１５】  １  湯たんぽ
２  給湯口
３  トレー
４  湯たんぽ袋
５  湯たんぽ袋を構成する内袋
６  湯たんぽ袋を構成する外袋
７  湯たんぽ出し入れ口
８  湯たんぽ出し入れ口を縛る紐
９  断熱シート
１０  穴のあいた断熱シート
１１  断熱シートの穴
１２  発泡樹脂シート
１３  アルミニウム膜
１４  掛け布団
１５  敷布団
１６  湯たんぽから発生する熱
【図１】
2010253231.tif 000003
【図２】
2010253231.tif 000004
【図３】
2010253231.tif 000005
【図４】
2010253231.tif 000006
【図５】
2010253231.tif 000007
【図６】
2010253231.tif 000008
【図７】
2010253231.tif 000009
【図８】
2010253231.tif 000010
【図９】
2010253231.tif 000011
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
湯たんぽとトレーを含み、湯たんぽ底部とトレー上部のくぼみが合致する湯たんぽセット。
【請求項２】
さらに、湯たんぽを挿入できる湯たんぽ袋を含む請求項１記載の湯たんぽセット。
【請求項３】
前記湯たんぽ袋は、内袋と外袋の二重構造になっており、湯たんぽを挿入した使用状態で湯たんぽ袋の上側の内袋と外袋の間に断熱シートを挿入した請求項２記載の湯たんぽセット。
【請求項４】
前記湯たんぽ袋は、内袋と外袋の二重構造になっており、湯たんぽを挿入した使用状態で湯たんぽ袋の上側の内袋と外袋の間に穴のあいた断熱シートを挿入した請求項２記載の湯たんぽセット。
【請求項５】
前記トレーは断熱性を有するトレーである請求項１〜４のいずれかに記載の湯たんぽセット。